(57)【要約】【課題】広い収納スペースを確保できるとともに、収納物の出し入れも容易であり、キャビネット内の見た目もよい洗面化粧台の排水構造を提供する。【解決手段】洗面ボウルＢの下部に垂設された排水口３と、椀トラップとからなる排水構造であって、該椀トラップは、椀トラップ本体１と、その底部を貫通する排水管４の上部開放端５に切り欠き部を周設した溢流口５１と、この溢流口５１を覆うとともに、上記椀トラップ本体１と水封構造を形成する円筒形蓋体の水封部２とからなり、上記排水口３に椀トラップ本体１が着脱自在に係合される。【選択図】図２
2005232905.tif 000002
【特許請求の範囲】
【請求項１】
洗面ボウルの下部に垂設された排水口と、椀トラップとからなる排水構造であって、該椀トラップは、椀トラップ本体と、その底部を貫通する排水管の上部開放端に切り欠き部を周設した溢流口と、この溢流口を覆うとともに、上記椀トラップ本体と水封構造を形成する円筒形蓋体の水封部とからなり、上記排水口に椀トラップ本体が着脱自在に係合された洗面化粧台の排水構造。
【請求項２】
上記椀トラップ本体を弾性を有する合成樹脂から形成するとともに、その上部開口縁内側に係止部を周設し、上記排水口の外周縁に周設された被係止部と着脱自在に係合する請求項１に記載の洗面化粧台の排水構造。
【請求項３】
上記排水管が椀トラップ本体の底部中央部を貫通して垂設され、排水本管に接続された請求項１に記載の洗面化粧台の排水構造。
【発明の詳細な説明】
【技術分野】
【０００１】
本発明は、洗面化粧台に関する。さらに詳しくは、洗面化粧台のキャビネット内に設けられ、排水トラップを備えた洗面化粧台の排水構造に関する。
【背景技術】
【０００２】
従来、洗面化粧台において洗面ボウルを支持するキャネット内では、排水本管から臭気が上昇逆流することを防ぐため、通常、略垂直な排水管の中程をＳ字状に蛇行させてＵ字管部を形成するとともに、このＵ字管部に排水自身を滞留させて封止水とする排水トラップが設けられている。しかしながら、上記Ｓ字状に配管された排水トラップがキャビネットの略中央部に位置するため、収納物の出し入れの邪魔となり、また、キャネット内の収納スペースが減少し、さらに、キャビネットを開けたとき、Ｓ字状の配管が見えて外見上も好ましくないという問題がある。そこで、これらの問題を解決するため、種々の先行技術が提案されている。
【特許文献１】特開２００３−１４４３４１号公報（第１−３頁、第１〜４図）
【特許文献２】特開平９−３１６９５５号公報（第１−４頁、第１図、第６図）
【発明の開示】
【発明が解決しようとする課題】
【０００３】
本発明は、上記問題を解決して、サニタリー用品等の物品を収納する、さらに広い収納スペースを確保できるとともに、配管が収納物の出し入れの邪魔とならないように配設され、余分な配管をなくし、キャビネット内の見た目もよい洗面化粧台の排水構造を提供することをその課題とする。
【課題を解決するための手段】
【０００４】
上記課題を解決するために、本発明においては、つぎのような技術的手段を講じている。すなわち、本発明によれば、洗面ボウルの下部に垂設された排水口と、椀トラップとからなる排水構造であって、該椀トラップは、椀トラップ本体と、その底部を貫通する排水管の上部開放端に切り欠き部を周設した溢流口と、この溢流口を覆うとともに、上記椀トラップ本体と水封構造を形成する円筒形蓋体の水封部とからなり、上記排水口に椀トラップ本体が着脱自在に係合された洗面化粧台の排水構造が提供される。
【０００５】
上記椀トラップ本体を弾性を有する合成樹脂から形成するとともに、その上部開口縁内側に係止部を周設し、上記排水口の外周縁に被係止部が周設されることが好ましい。上記弾性を有する合成樹脂としては、硬質塩化ビニル樹脂、ポリプロピレン、ＡＢＳ樹脂、ポリカーボネート樹脂等をあげることができる。上記排水管が椀トラップ本体の底部中央部を貫通して垂設され、排水本管に接続されることが好ましい。
【発明の効果】
【０００６】
請求項１に記載の発明は上記のとおりであり、とくに、洗面ボウルに垂設された排水口に椀トラップ本体が着脱自在に係合されているため、余分な配管を設けることなく、上記排水口と椀トラップとが直結されて水封構造を形成し、排水本管から臭気が上昇逆流することを防ぐ。
【０００７】
上記椀トラップ本体を弾性を有する合成樹脂から形成するとともに、その上部開口縁内側に係止部を周設し、上記排水口の外周縁に被係止部が周設されているため、上記弾性を有する係止部を、陶製の被係止部にワンタッチで弾性係合できるため、取付けの作業性を向上させることができる。また、保守、リフォーム等の場合には椀トラップ本体の弾性係合を解除して容易に取り外すことができる。
【０００８】
上記排水管が椀トラップ本体の底部中央部を貫通して垂設され、排水本管に接続されているため、キャビネット内に余分な配管を設けることが不要となり、収納スペースを大きく取ることができるとともに、収納物の出し入れも容易となり、また、キャビネット内がスッキリと、見た目もよいものとなる。
【発明を実施するための最良の形態】
【０００９】
以下、本発明の実施形態について図面を参照して、詳細に説明する。図１は、本発明にかかる洗面化粧台の排水構造を示す分解断面図である。図１からよくわかるように、上記排水構造は、洗面ボウルＢの下部に垂設された排水口３と、椀トラップを構成する椀トラップ本体１と、椀トラップ本体１の底部１２を貫通し、排水を流す排水管４と、この排水管４の上部開放端５を切欠いて設けられた溢流口５１と、この溢流口５をカバーするとともに、水封する円筒形蓋体の水封部２とからなっている。上記洗面ボウルＢは陶製であり、弾性合成樹脂から形成された椀トラップ本体１の内周面に設けられた係止部１１は、洗面ボウルＢの下部に垂設された排水口３の外周面に設けられた被係止部３１に着脱自在に弾性係合する。
【００１０】
図２は、図１に示す係止部１１を被係止部３１に弾性係合し、上記排水口３と椀トラップ１とを一体的に構成してなる、本発明にかかる排水構造を示す部分断面図である。上記排水構造は、後記するように、洗面化粧台のキャビネットＣ内に収められ、このキャビネットＣ内には、通常、サニタリー用品等が収納されている。図３は、椀トラップ本体１の底部１２を貫通し、排水を流す排水管４と、この排水管４の上部開放端５を切欠いて設けた溢流口５１を示す部分断面斜視図である。
【００１１】
図２、図３からよくわかるように、排水は洗面ボウルＢ内を矢印で示すように水封部２の回りを流れ、封止脚部２１を経て溢流口５１から排水管４に流れる。上記排水は、流出が止まった後は、椀トラップ本体１内に貯留して封止水Ｗとして機能し、排水本管（図示せず）から排水管４を経て逆流した臭気は、封止脚部２１で水封され、さらに上昇することを防げる。また、図３からよくわかるように、上記溢流口５１は髪の毛、ゴミ等の等の夾雑物を遮って、水のみをスムースに流出させるとともに、フィルターとしても機能し、溜まった夾雑物は、水封部２を取れば容易に除去することができる。
【００１２】
図４は、本発明の排水構造を備えた洗面化粧台を示す概略構成図である。図４から、洗面ボウルＢの下部に垂設された排水口３から椀トラップ本体１を介して排水管４がキャビネットＣ内を垂下し、スッキリと配管されていることが明らかである。したがって、従来のＳ字状配管によるデッドスペースをなくして収納スペースを大きく取ることが可能となり、また、収納物の出し入れが容易となるとともに、キャビネットＣを開けたときの見た目もよいものとなる。
【図面の簡単な説明】
【００１３】
【図１】本発明にかかる洗面化粧台の排水構造を示す分解断面図である。
【図２】本発明にかかる洗面化粧台の排水構造を示す要部断面図である。
【図３】椀トラップの要部を示す一部切欠き斜視図である。
【図４】本発明の排水構造を備えた洗面化粧台を示す概略構成図である。
【符号の説明】
【００１４】
１          椀トラップ本体
１１        係止部
１２        底部
２          水封部
２１        封止脚部
３          排水口
３１        被係止部
４          排水管
５          排水管の上部開放端
５１        溢流口
Ｂ          洗面ボウル
Ｃ          キャビネット
Ｗ          封止水
【図１】
2005232905.tif 000003
【図２】
2005232905.tif 000004
【図３】
2005232905.tif 000005
【図４】
2005232905.tif 000006